(57)【要約】【課題】デジタルデータを加工した加工品を製造する際の製造工程を、安価かつ効率的に管理する方法を提供する。【解決手段】複数の製造工程間でのデータの転送を、画像データが記録される持ち運び可能な通いメディア１１１を用いて行い、複数の製造工程の各々が行われる毎に、その工程の結果を示す工程結果情報を通いメディア１１１に記録し、記録した工程結果情報により製造工程を管理する。【選択図】図１
2007122246.tif 000002
【特許請求の範囲】
【請求項１】
デジタルデータを加工した加工品を製造する際の製造工程を管理するデジタルデータ加工品の製造工程管理方法であって、
前記製造工程が複数の工程を含み、
前記複数の工程間でのデータの転送が、前記デジタルデータが記録される持ち運び可能な記録媒体を用いて行われ、
前記複数の工程の各々が行われる毎に、前記工程の結果を示す工程結果情報を前記記録媒体に記録するステップを含むデジタルデータ加工品の製造工程管理方法。
【請求項２】
請求項１記載のデジタルデータ加工品の製造工程管理方法であって、
前記デジタルデータが画像データを含むデジタルデータ加工品の製造工程管理方法。
【発明の詳細な説明】
【技術分野】
【０００１】
本発明は、デジタルデータを加工した加工品を製造する際の製造工程を管理するデジタルデータ加工品の製造工程管理方法に関する。
【背景技術】
【０００２】
デジタルデータを加工した加工品を製造するサービス、例えば、ユーザから大量の画像データを受け取り、この画像データから写真アルバムを製造するサービスでは、ユーザから受け取った画像データを、サーバ内のデータベースに記録しておき、このサーバに接続された端末により、データベースから画像データを取得して画像データの加工等を行い、加工後の画像データを再びデータベースに記録する。そして、アルバムを作成する工場内に設置された端末から、サーバのデータベースに記録されているデータを読み出し、読み出したデータに基づいてアルバムを作成するといった具合に、ネットワークに接続されたサーバ内のデータベースを介して各工程間でのデータ転送が行われている（例えば、特許文献１参照）。
【０００３】
【特許文献１】特開平８−３１６４３３号公報
【発明の開示】
【発明が解決しようとする課題】
【０００４】
デジタルカメラの画素数が向上していることにより、写真１枚当たりの容量が３メガバイトを超えることもあるが、アルバムに使用する画像数は１００枚を超えることもあるため、この画像数分の画像データをネットワーク上でやり取りすると、システムの負担が大きくなり、各工程の作業効率の妨げとなる。このように、ネットワークを介してデータ転送を行う方式では、転送するデータが大容量になると、そのネットワーク上に膨大なトラフィックが発生し、システム負荷が大きくなるといった問題がある。このような問題を解決するために、データの転送を持ち運び可能なＣＤ−Ｒ、ＤＶＤ−Ｒ、ＤＶＤ−ＲＡＭ等の記録媒体を用いて行うことが考えられる。しかし、この場合、製造工程において記録媒体をどのように管理するかが課題となる。
【０００５】
本発明は、上記事情に鑑みてなされたものであり、デジタルデータを加工した加工品を製造する際の製造工程を、安価かつ効率的に管理する方法を提供することを目的とする。
【課題を解決するための手段】
【０００６】
本発明のデジタルデータ加工品の製造工程管理方法は、デジタルデータを加工した加工品を製造する際の製造工程を管理するデジタルデータ加工品の製造工程管理方法であって、前記製造工程が複数の工程を含み、前記複数の工程間でのデータの転送が、前記デジタルデータが記録される持ち運び可能な記録媒体を用いて行われ、前記複数の工程の各々が行われる毎に、前記工程の結果を示す工程結果情報を前記記録媒体に記録するステップを含む。
【０００７】
本発明のデジタルデータ加工品の製造工程管理方法は、前記デジタルデータが画像データを含む。
【発明の効果】
【０００８】
本発明によれば、デジタルデータを加工した加工品を製造する際の製造工程を、安価かつ効率的に管理する方法を提供することができる。
【発明を実施するための最良の形態】
【０００９】
図１は、本発明の実施形態であるデジタルデータ加工品の製造工程管理方法の流れを説明するための図である。図２は、デジタルデータ加工品の製造工程管理方法の処理フローを示す図である。ここでは、ユーザから大量の画像データを受け取り、この画像データから写真アルバムを製造するサービスにおいて実施する製造工程管理方法を説明する。
【００１０】
まず、ユーザが、上記サービスを実施する店舗に、画像データを記録したＣＤ−ＲＯＭやＤＶＤ-ＲＡＭ等の記録メディアを持ち込み、アルバムを注文する。店舗では、ユーザから記録メディアを受け取り、アルバムの注文を受け付ける（ステップＳ１１：注文受付工程）。店舗には、製造工程管理方法を実行するためのプログラムがインストールされたコンピュータ（以下、店舗端末という）が設置さており、店舗の従業員が上記プログラムを起動すると、店舗端末に接続された表示装置に画面が表示される。
【００１１】
注文受け付け後、従業員は、この画面上で、アルバム作成の受付を行った日時、アルバムの注文数、及びユーザの連絡先等の注文情報を入力する。また、ユーザから受け取った記録メディアを店舗端末に挿入し、画面上に表示された画像データ取り込みアイコンをクリックする。これにより、店舗端末は、この記録メディアに記録されている画像データを取り込む。
【００１２】
更に、従業員は、店舗端末に空の記録メディア１１１（以下、通いメディアといい、ＤＶＤ−ＲＡＭを使用するものとする）を挿入し、画面上の受付終了アイコンをクリックする。これにより、店舗端末は、注文情報と、ユーザの記録メディアから読み込んだ画像データと、注文受付工程の結果を示す工程結果情報とを、通いメディア１１１に記録する（ステップＳ１２）。注文受付工程の結果を示す工程結果情報とは、アルバム製造の進捗状況を管理するための情報であり、例えば、アルバム注文の受け付けを終了したことを示す情報である。
【００１３】
このようにして作成された通いメディア１１１は、通い箱１１２に収納され、デザイン工程を実施する場所まで転送される（ステップＳ１３）。
【００１４】
デザイン工程を実施する場所には、製造工程管理方法を実行するためのプログラムとアルバムのデザインを行うためのプログラムがインストールされたコンピュータ（以下、デザイン端末という）が設置さており、デザイナーが上記プログラムを起動すると、デザイン端末に接続された表示装置に画面が表示される。また、このデザイン端末には、アルバムのデザインを支援するためのデザイン支援装置がネットワークを介して接続されている。ここでいうデザインは、例えば、アルバムの背景や、画像のレイアウト等のことである。デザイン支援装置は、アルバムの背景のテンプレートや、画像のレイアウトのテンプレート等を記憶しており、デザイン端末からデザインの依頼があると、最適なデザインを自動的に決定し、これをデザイン端末に返信する機能を有する。
【００１５】
デザイナーは、通い箱１１２から通いメディア１１１を取り出し、これをデザイン端末に挿入し、画面上に表示された画像データ取り込みアイコンをクリックする。これにより、通いメディア１１１に記録された画像データの一覧等が画面上に表示される。デザイナーは、この画面上でアルバムをデザインする（ステップＳ１４：デザイン工程）。
【００１６】
デザイナーは、デザインを終了した後、画面上のデザイン終了アイコンをクリックする。これにより、デザイン端末は、デザイン工程によって得られたデータ（テンプレートや、最終的なアルバムのレイアウトデータ等）と、デザイン工程の結果を示す情報とを、通いメディア１１１に記録する（ステップＳ１５）。デザイン工程の結果を示す情報とは、アルバム製造の進捗状況を管理するための情報であり、例えば、アルバムのデザインを終了したことを示す情報である。
【００１７】
そして、通いメディア１１１は、通い箱１１２に再び収納され、アルバム作成工程を実施する場所まで転送される（ステップＳ１６）。
【００１８】
アルバム作成工程を実施する場所には、製造工程管理方法を実行するためのプログラムがインストールされたコンピュータ（以下、アルバム作成端末という）が設置さており、アルバム作成業者が上記プログラムを起動すると、アルバム作成端末に接続された表示装置に画面が表示される。また、このアルバム作成端末には、画像を印刷するための印刷装置と、アルバムを製本するための製本装置が接続されている。
【００１９】
アルバム作成業者は、通い箱１１２から通いメディア１１１を取り出し、これをアルバム作成端末に挿入し、画面上に表示されたデータ取り込みアイコンをクリックする。これにより、通いメディア１１１に記録されたアルバムのレイアウトやアルバムの注文情報が画面上に表示される。アルバム作成業者は、この画面上でアルバムの作成部数等を確認し、アルバムの作成を指示する。この指示により、印刷装置及び製本装置によってアルバム１１４が作成される（ステップＳ１７：アルバム作成工程）。
【００２０】
アルバム作成業者は、アルバム１１４の作成を終了した後、画面上のアルバム作成終了アイコンをクリックする。これにより、アルバム作成端末は、アルバム作成工程の結果を示す工程結果情報を、通いメディア１１１に記録する（ステップＳ１８）。アルバム作成工程の結果を示す工程結果情報とは、アルバム製造の進捗状況を管理するための情報であり、例えば、アルバムの作成を終了したことを示す情報である。
【００２１】
そして、通いメディア１１１とアルバム１１４は、通い箱１１２に収納され、梱包工程を実施する場所まで転送される（ステップＳ１９）。
【００２２】
梱包工程を実施する場所には、製造工程管理方法を実行するためのプログラムがインストールされたコンピュータ（以下、梱包端末という）が設置さており、梱包業者が上記プログラムを起動すると、梱包端末に接続された表示装置に画面が表示される。
【００２３】
梱包業者は、通い箱１１２からアルバム１１４を取り出して梱包（ステップＳ２０：梱包工程）したあと、続いて通いメディア１１１を取り出し、これを梱包端末に挿入し、画面上に表示された梱包終了アイコンをクリックする。これにより、梱包端末は、梱包工程の結果を示す工程結果情報を、通いメディア１１１に記録する（ステップＳ２１）。梱包工程の結果を示す工程結果情報とは、アルバム製造の進捗状況を管理するための情報であり、例えば、アルバムの梱包を終了したことを示す情報である。
【００２４】
以上の処理後、梱包されたアルバムがユーザの元へと届けられる。尚、各工程では、その工程を実施する人が、通いメディア１１１に記録されている工程結果情報を確認してから各工程を実施する。これにより、直前の工程の工程結果情報が記録されていない場合には、誤ったルートで通いメディア１１１が転送されてきたと判断し、通いメディア１１１を直前の工程を実施する場所まで戻すことが可能である。
【００２５】
このように、各工程間でのデータの転送を通いメディア１１１を用いて行うことで、従来のネットワークを介してデータ転送を行う場合の問題を解決することができる。また、各工程終了後には、その工程の結果を示す工程結果情報が通いメディア１１１に記録される。このため、通いメディア１１１に記録されている工程結果情報を参照することで、アルバムの製造工程がどこまで進んでいるのかを知ることができ、アルバムの製造工程を管理することが可能となる。
【００２６】
なお、以上の説明では、アルバムの製造工程の管理を行う方法を例にして説明したが、あらゆるデジタルデータの加工品の製造工程の管理を行う場合にも同様に適用可能である。
【００２７】
また、以上の説明では、各工程の工程結果情報をコンピュータによって自動的に通いメディア１１１に記録するものとしたが、これに限らない。例えば、人が、コンピュータに工程結果情報を手入力し、手入力した工程結果情報を通いメディア１１１に保存する操作を行うようにしても良い。
【００２８】
以下、デザイン工程の処理内容の具体例及び通いメディア１１１内のデータ構造の具体例を説明するが、本発明はこれに限定されない。
【００２９】
デザイン工程は、デザイナーが画像データの処理に大きく関わる工程である。このデザイン工程における詳細な処理フローを、図３に示す。デザイン工程では、デザイナー２１が、通い箱１１２内の通いメディア１１１を専用の操作端末２２に挿入し、アルバムのデザインを行う。
【００３０】
操作端末２２は、デザイン工程の管理を行い、通いメディア１１１から画像データ、工程情報、進渉履歴の読出しを行う。この進渉履歴の読出しには専用のアプリケーションを用いる。このため、デザイン支援システム２３と操作端末２２のアプリケーションとの間で、連携が必要になる。
【００３１】
デザイン支援システム２３は、画像選択基準を管理しており、大量の画像の中から加工品（写真アルバム）に適した画像の選択、加工を行う。このために、デザイン支援システム２３は、データ共有のためにネットワーク上に存在して、各デザイナーが使用する操作端末２２が共有できる環境にある。
【００３２】
デザイナー２１は、操作端末２２を用いてアルバムのデザインを行う。操作端末２２は、通いメディア１１１からデータを読み出し、デザイン工程の管理を行う。読み出された画像データは、デザイン支援システム２３に入力され、画像選択基準に従って、大量の画像データから加工品に適した画像データの選択、加工が行われる。また、デザイン支援システム２３は、工程結果情報を操作端末２２へ出力する。操作端末２２は、この結果情報を表示して、デザイナーに提示する。
【００３３】
通いメディア１１１の内部構造の一例を、図４に示す。この通いメディア１１１は、以下のようなファイルを階層構造で管理するディレクトリを持つ。
１．工程管理情報ファイルは、製造工程を管理するデータを示す。各工程における工程結果情報をこのファイルで管理する。これにより、通いメディア１１１が通常工程を外れても、元の工程に戻すことが容易となる。
【００３４】
また、このファイルで、各工程とその進捗状況を把握するために、データ構成をツリー状にすることが好ましい。各工程における進捗状況を確認するために、電子署名を用いることも可能である。この電子署名により、正しい工程を通過したか否かを確認することが可能となる。
【００３５】
工程管理情報ファイルは、ツリー構造とする。ファイルは、図５に示すように、タグを定義できるＸＭＬ形式で記述する。製造者が、工程管理情報ファイルを参照する場合は、専用のアプリケーションを使用することで、読みやすい形式で表示できる。図５において、各ＸＭＬタグは下記の通りである。
【００３６】
工程管理番号：工程管理票の番号を記述する。店舗においてアルバム注文を受け付けた時に発行する一意の管理番号である。受注内容には、アルバムのほかＤＶＤの作成が含まれることを想定すると、製造工程においては、別工程を生じるためにそれぞれの工程に対する管理番号が必要となる。よって、受注番号が１に対して、工程管理番号が複数発生する。
【００３７】
受注番号：受注伝票の管理番号を記述する。店舗において受け付けた時に発行する一意の管理番号である。
製造数：受注したアルバムの製造部数を記述する。印刷工程において必要な事項である。
工程情報：各工程の管理タグを設ける。このタグによって必要な工程が明らかになる。
デザイン：デザイン工程の情報であることを示す。
【００３８】
基本データディレクトリ：デザイン工程で使用する通いメディア１１１内のディレクトリを記述する。
決定データディレクトリ：デザインとして決定したデータを保管するディレクトリを記述する。
完了日時：デザインデータを保管した日時を記述する。デザイン決定がない場合は、タグがない。
電子署名：データの改ざんを防止するために更新日時、更新端末番号などの情報を電子化した上で、署名暗号化した情報をＢａｓｅ６４で記述する。
【００３９】
２．ユーザデータ保管領域
ユーザから受け取った画像データを保管する領域である。この領域は、ユーザデータのマスター領域とし、各ファイルは読み込み専用とする。この領域からデータを取得するために専用のアプリケーションを用いることで、誤削除からユーザデータを保護することができる。
【００４０】
３．デザイン情報保管領域
デザイン情報保管領域直下には、図６に示すように、デザイン工程における進捗管理を行うための管理情報ファイルを用意する。このファイルは、ツリー構造である。このファイルは、ＸＭＬ形式で記述する。製造者が、管理情報ファイルを参照する場合は、専用のアプリケーションを使用することで、読みやすい形式で表示できる。
なお、管理情報ファイルは、工程管理情報ファイルのサブセットとする。これは、工程管理情報ファイルが、製造工程の進捗管理を行うことを目的としていることに対して、管理情報ファイルが、デザイン工程内における進捗管理を行うことを目的としていることによる。図６において、ＸＭＬタグは下記の通りである。
【００４１】
工程管理番号：工程管理票の番号であり、店舗において受け付けた時に発行する一意の管理番号である。
デザイン情報：デザイン情報を記述するタグであり、このタグの配下にデザイン支援システムから発生する結果を記述する。
決定データ：操作端末において、デザイン決定した情報を記述するためのタグである。操作端末で編集中のときは、このタグは、作業領域情報となる。
テンプレート：テンプレートデータをファイルとして想定した場合、ファイル名を記述する。また、複数ファイルで構成された場合、そのリストを記述する必要がある。
印刷ファイル：印刷工程に引き渡すための印刷データファイルのファイル名を記述する。
画像データリスト：デザイン支援システムから受け取った画像データのリストを記述する。ファイル数分のタグが発生する。
候補データ：デザイン支援システムから受け取る結果を管理するタグである。
工程履歴：デザイン工程の判定履歴を記述するためのタグである。
候補判定：候補に対する判定を記述するためのタグである。
コメント：候補に対して「否」とした場合や一部採用の場合の、デザイナーのコメントを記述する。
日時：コメント記入の日時を記述する。
電子署名：データの改ざんを防止するために更新日時、更新端末番号などの情報を電子化した上で、署名暗号化した情報をＢａｓｅ６４で記述する。
【００４２】
４．データ保管領域
デザイン支援システムが返したデータを保管するための領域である。この領域内には、図７に示すように、デザイン支援システムから受け取ったデータ（テンプレート類）をディレクトリ単位で保管するものとする。データ保管領域には、候補の状態により複数のディレクトリを作成し、その中にテンプレート類を保管する。
【００４３】
加工された画像データは、その数量が多いため、さらにディレクトリとして画像データ保管領域を確保した上で、その中に保管する。これらのデータ構成は、再利用を考慮して、テンプレート管理ファイルによって管理する。このテンプレート管理ファイルは、工程進捗管理との互換を保つことで、データの整合性を確保する。
【００４４】
データ保管領域は、デザイン支援システム２３から取得した複数の候補のデザインデータを記憶する「データ保管領域（候補）」と、最終的に決定されたデータを記憶するための「データ保管領域（決定）」と、「データ保管領域（作業領域）」とが含まれる。
【００４５】
データ保管領域（決定）：決定したデザインデータを保管する領域である。この領域は、写真アルバムの製造に使用するテンプレートや画像データ、印刷情報を保存する。デザイン支援システム２３との連携が必要な領域である。
【００４６】
データ保管領域（作業領域）：デザイナーが候補を組み合わせてデザインを決定させるための領域である。この領域は、各候補から選択した画像データやテンプレートをコピーし保管する領域となり、デザイン決定後は、データ保管領域（決定）となる領域である。
【００４７】
データ保管領域（候補）：製品を決定する上で、デザイン支援システム２３の返した結果を履歴として保管するための領域である。デザイン支援システム２３が渡したデータは、各デザインをディレクトリ内で保管する。デザイナーは、各デザインを参照しながら、デザイン決定を行い作業領域に保存する。デザイン支援システム２３との連携が必要な領域である。
【００４８】
例えば、デザイン支援システム２３から３候補のデザインデータを受け取った場合には、データ保管領域が図８に示すように作成される。また、デザイン支援システム２３からさらに新規に３候補を受け取った場合には、図９に示すように、データ保管領域が作成される。そして、製品のデザインが決定された場合には、図１０に示すように、データ保管領域を書き換える。
【００４９】
次に、デザイン工程におけるデータ管理手順の一例を、図１１のフロー図を参照しながら説明する。
デザイナーは、通い箱１１２から通いメディア１１１を取り出し（ステップＳ３１）、操作端末２２の通いメディア用ドライブに挿入する(ステップＳ３２）。この操作端末２２には、通いメディア１１１のディレクトリを操作するアプリケーションがインストールされている。
【００５０】
このアプリケーションは、通いメディア１１１の挿入によって自動的に起動することが望ましい。もしくは、アプリケーションは常に起動しているものとして、通いメディア１１１の挿入により内部のディレクトリを読み取るものとする。このとき、デザイン支援システム２３に送るべき画像データを読み取る(ステップＳ３３）。操作端末２２にインストールされたアプリケーションによって、現在どの工程まで作業が進んでいるか確認ができる。
【００５１】
次に、読み込んだ画像データをデザイン支援システム２３に送る(ステップＳ３４）。このとき、デザイン支援システム２３を複数の操作端末で共有する際に、画像データが大量かつ大容量であることを考慮すると、操作端末２２とデザイン支援システム２３の間に高速なネットワークが必要となる。
【００５２】
ここで、デザイン支援システム２３は、受け取った画像データの中からアルバムに適切な画像データを選択し、加工を行った後に、使用するテンプレートと印刷データとともに加工した画像データを返す。このデザイン支援システム２３においては、「お伺い」、「結果」の工程が発生する。「お伺い」は、画像データをデザイン支援システム２３に送る工程を、「結果」は、デザイン支援システム２３からデータ（テンプレート、加工画像、印刷データ）を返す工程を、それぞれ言う。
【００５３】
デザイン支援システム２３から得られた結果は、候補単位で、図８に示すような通いメディア１１１のデータ保管領域に保存される（ステップＳ３５）。デザイナー２１は、デザイン支援システム２３から得られた結果の成否を判断するために、印刷ファイルの表示を行って確認する（ステップＳ３６）。
【００５４】
この段階で、必要な条件は、「結果は、複数存在する可能性があり、また、再度結果を取得した場合を考え、複数候補が表示可能とすること」、「候補中のテンプレートは、複数個所に分割が可能となっているので、自由な組み合わせができるものとすること」である。デザイナーは、得られた結果をもって成否を判定する。「成」を得られない場合は、その理由をコメントとして、工程管理情報ファイルに記述する。
【００５５】
デザイン支援システム２３から得られた結果をもとに、デザイナー２１はデザイン構成の成否を判断する（ステップＳ３７）。このとき、過去において候補を取得している場合、他の候補の一部を組み合わせ新たな結果とすることもできる。編集中の情報は、逐次通いメディア１１１の、図８に示すような作業領域に保存される。
【００５６】
ここで、デザイン支援システム２３の結果に問題があり、採用できないと判断した場合、図１２に示すように、結果を前候補として通いメディア１１１に保存する（ステップＳ３８）。このとき、同時に工程管理情報ファイルに理由を記入し、再度、デザイン支援システム２３へデータ転送をする。一方、デザイン支援システム２３からの結果に対して、「成」とした場合、もしくは複数候補の組み合わせによってデザイナー２１が編集を行った場合、その結果をもって製品デザインが決定したとみなす(ステップＳ３９）。
【００５７】
「成」としたデータは、図１３に示すように、製品決定として通いメディア１１１に保存される（ステップＳ４０）。この操作は、操作端末２２のアプリケーションにより行われる。次に、操作端末２２から通いメディア１１１を抜き取り、通い箱１１２に収納し(ステップＳ４１）、次工程へ搬送可能にする(ステップＳ４２）。通いメディア１１１を通い箱１１２に収めるまでを、デザイナー２１の責任範囲とする。
【００５８】
なお、デザイン支援システム２３から候補を受け、デザイナー２１がデザインを決定をするまで、無限にループすることになる（ステップＳ３３〜ステップＳ３８を繰り返す）。そこで、ループを行う回数に制約を設けて、対処方法のマニュアル策定が必要となる。
【００５９】
この無限ループを防止する対策として、一人のデザイナー２１で複数回のループが発生した場合は、担当するデザイナー２１を変更したり、複数人のデザイナー２１で複数回のループが発生した場合は、次に得られた候補を製品として決定したりするなどして、品質限度内で決定付ける。
【００６０】
なお、ステップ３１、３２、３７、３９、４１はデザイナー２１の作業であり、このほかのステップＳ３３、３４、３５、３６、４０は操作端末アプリケーションによる処理である。
【図面の簡単な説明】
【００６１】
【図１】本発明の実施形態であるデジタルデータ加工品の製造工程管理方法の流れを説明するための図
【図２】デジタルデータ加工品の製造工程管理方法の処理フローを示す図
【図３】デザイン工程の処理フローを示す説明図
【図４】通いメディアの内部構造例を示す階層構成図
【図５】図５における工程管理情報ファイルのＸＭＬ構造を示す図
【図６】図５における管理情報ファイルのＸＭＬ構造を示す図
【図７】図５における製品のデザイン情報補完領域のＸＭＬ構造を示す図
【図８】図７のデザイン情報保管領域におけるサブディレクトリを示す図
【図９】図７のデザイン情報保管領域におけるサブディレクトリのデータ保管領域増設状況を示す図
【図１０】図７のデザイン情報保管領域におけるサブディレクトリのデータ保管領域決定状況を示す図
【図１１】デザイン工程を示すフロー図
【図１２】デザイン工程におけるデザイン編集中の保存情報を示す説明図
【図１３】デザイン工程で決定した編集保存情報を示す説明図
【符号の説明】
【００６２】
２２  操作端末
２３  デザイン支援システム
１１１  通いメディア（記録媒体）
１１４  アルバム（デジタルデータ加工品）
【図１】
2007122246.tif 000003
【図２】
2007122246.tif 000004
【図３】
2007122246.tif 000005
【図４】
2007122246.tif 000006
【図５】
2007122246.tif 000007
【図６】
2007122246.tif 000008
【図７】
2007122246.tif 000009
【図８】
2007122246.tif 000010
【図９】
2007122246.tif 000011
【図１０】
2007122246.tif 000012
【図１１】
2007122246.tif 000013
【図１２】
2007122246.tif 000014
【図１３】
2007122246.tif 000015